(57)【要約】【課題】撮影用照明装置の光源を複数のランプで構成すると共に、これらのランプを合理的に配置することにより、十分に拡散された柔らかな光で被写体をむらなく照射できるようにすると同時に、各ランプの着脱作業を容易に行うことができるようにする。【解決手段】内面を反射面１ａとしたフード形反射シート１の内部に設置する光源２を、複数の蛍光ランプ２２により形成すると共に、これらの蛍光ランプ２２を、上記反射シート１の中心軸線Ｌを取り巻く位置に、発光部２２ａを該反射シート１の前方側に向けると共に、ランプ軸線Ｌ１を上記中心軸線Ｌに対して発光部２２ａ側が該中心軸線Ｌから遠ざかる方向に傾斜させることにより、ランプ相互間の間隔を上記発光部２２ａ側において次第に拡大させた状態に配置する。【選択図】図１
2008076769.tif 000002
【特許請求の範囲】
【請求項１】
パラソル式に開閉自在で内面に光源からの光を乱反射させるための反射面を有するフード形の反射シートと、該反射シートの開放する前端部に張設され、上記光源からの光を拡散させながら透過させる拡散シートと、上記反射シートの内部に配設された上記光源とを有し、
上記光源が、発光部と取付用プラグ部とがランプ軸線に沿って真っ直ぐに連なる棒状をした少なくとも３つの蛍光ランプからなっていて、これらの蛍光ランプが、上記反射シートの中心軸線を取り巻く位置に、上記発光部を該反射シートの前方側に向けると共に、ランプ軸線を上記中心軸線に対して発光部側が該中心軸線から遠ざかる方向に傾斜させることにより、ランプ相互間の間隔を上記発光部側において次第に拡大させた状態に配設されていることを特徴とする撮影用照明装置。
【請求項２】
上記光源が、上記反射シートの中心軸線に沿って延びる支持シャフトの先端に配設されていて、該支持シャフトの先端には、円形のソケット取付台が該支持シャフトと同心状に取り付けられ、このソケット取付台の前面は凸形の曲面をなし、該前面の上記中心軸線を取り巻く位置に上記蛍光ランプと同数のソケットが、該中心軸線に対して傾斜する状態に取り付けられ、これらのソケットにそれぞれ上記蛍光ランプのプラグ部が着脱自在に挿着されていることを特徴とする請求項１に記載の照明装置。
【請求項３】
上記反射シートが、断面四角形に形成されることによって向きの異なる４つの反射面を有し、また、上記光源が６つの蛍光ランプからなっていて、これらの蛍光ランプが、上記反射シートの中心軸線の回りに等間隔で先広がりをした環の形に配設されていることを特徴とする請求項１又は２に記載の照明装置。
【発明の詳細な説明】
【技術分野】
【０００１】
本発明は、写真撮影や映画撮影などを行う場合に被写体の照明に使用される撮影用照明装置に関するものである。
【背景技術】
【０００２】
この種の撮影用照明装置として、従来より、特許文献１に記載のものが知られている。これは、パラソル式に開閉自在なるように構成された反射シートの内部に光源を配置し、この光源からの光を上記反射シートの内面で乱反射させると共に、乱反射した光を、該反射シートの開放する前面に張設した拡散シートを通すことにより拡散させて被写体に照射するものである。
一般に、この種の照明装置に要求されることは、被写体に対する照射むらが生じないように、光源からの光をできるだけ広い範囲に均等に拡散させることによって柔らかい光に変換し、それを被写体に照射することである。
【０００３】
ところが、上記従来の照明装置は、反射シートの内部中央位置に光源として単一の発光体（ランプ）を点状に配置しているため、十分な光の拡散状態を得ることが難しく、照射ムラによって被写体に陰ができたり、撮影条件によっては光量が不足するなどの問題があった。
【０００４】
上記光源を複数のランプによって構成することも可能であるが、複数のランプを単に並べて配置しただけでは、十分に拡散した柔らかな光を得られるとは限らず、各ランプの部分の明るさが強くなるなどの不都合を生じることもある。しかも、発光体の配置によっては、それらの位置が相互に干渉し合って着脱作業を行いにくいという問題も生じる。
【特許文献１】実公平５−２９４６２号公報
【発明の開示】
【発明が解決しようとする課題】
【０００５】
そこで本発明の目的は、撮影用照明装置の光源を複数のランプで構成すると共に、これらのランプを合理的に配置することにより、十分に拡散された柔らかな光で被写体をむらなく照射できるようにすると同時に、各ランプの着脱作業を容易に行うことができるようにすることにある。
【課題を解決するための手段】
【０００６】
上記目的を達成するため、本発明の撮影用照明装置は、パラソル式に開閉自在で内面に光源からの光を乱反射させるための反射面を有するフード形の反射シートと、該反射シートの開放する前端部に張設され、上記光源からの光を拡散させながら透過させる拡散シートと、上記反射シートの内部に配設された上記光源とを有し、上記光源が、発光部と取付用プラグ部とがランプ軸線に沿って真っ直ぐに連なる棒状をした少なくとも３つの蛍光ランプからなっていて、これらの蛍光ランプが、上記反射シートの中心軸線を取り巻く位置に、上記発光部を該反射シートの前方側に向けると共に、ランプ軸線を上記中心軸線に対して発光部側が該中心軸線から遠ざかる方向に傾斜させることにより、ランプ相互間の間隔を上記発光部側において次第に拡大させた状態に配設されている。
【０００７】
本発明において好ましくは、上記光源が、上記反射シートの中心軸線に沿って延びる支持シャフトの先端に支持されていて、該支持シャフトの先端には、円形のソケット取付台が該支持シャフトと同心状に取り付けられ、このソケット取付台の前面は凸形の曲面をなし、該前面の上記中心軸線を取り巻く位置に上記蛍光ランプと同数のソケットが、該中心軸線に対して傾斜する状態に取り付けられ、これらのソケットにそれぞれ上記蛍光ランプのプラグ部が着脱自在に挿着されていることである。
【０００８】
また、本発明においおては、上記反射シートが、断面四角形に形成されることによって向きの異なる４つの反射面を有し、また、上記光源が６つの蛍光ランプからなっていて、これらの蛍光ランプが、上記反射シートの中心軸線の回りに等間隔で先広がりをした環の形に配設されていることが望ましい。
【発明の効果】
【０００９】
本発明によれば、光源を複数の蛍光ランプで構成し、これらの蛍光ランプを、反射シートの中心軸線を取り巻く位置に、ランプ相互間の間隔が発光部側において次第に拡大するように傾斜させて配設したことにより、上記中心軸線上の位置にランプを点状に配置した場合や、複数のランプを互いに近接する位置に真っ直ぐに並べて配置した場合等に比べ、光源としての広がりが大きく、発光部において特にその広がりが大きくなっており、この結果、各蛍光ランプからの光が反射シートと拡散シートとによって広い範囲に効率良く乱反射されると同時に拡散され、柔らかな光となって被写体にむらなく照射されることになる。しかも、上記発光部を掴んで各ランプの着脱を行う場合に、発光部間の間隔が広がっているため、その作業を行い易いという利点もある。
【発明を実施するための最良の形態】
【００１０】
図１〜図４は本発明に係る撮影用照明装置の好ましい代表的な一実施形態を示すものである。この照明装置は、パラソル式に開閉自在で内面に光源２からの光を乱反射させるための反射面１ａを有するフード形の反射シート１と、該反射シート１を開閉自在に支持する傘骨式の支持骨構造体３と、上記反射シート１の開放する前端部に張設され、上記光源２からの光を拡散させながら透過させる拡散シート４と、上記支持骨構造体３の一部の部材に支持されることによって上記反射シート１の内部に配設された上記光源２とを有している。
【００１１】
上記反射シート１は、光を透過させないための加工が施された布製あるいは合成樹脂製のシート状素材からなるもので、図示した例では、略三角形状をなす４枚のシート材１Ａの側辺同士を縫着や接着等の結合手段で順次結合することにより、断面形状が四角形をしたフードの形に形成されている。従って、その内面には、向きの異なる４つの反射面１ａが形成されていることになる。この反射面１ａは、微細な凹凸を持つ白色の粗面からなるもので、光源２からの光を広い範囲に乱反射することができる。
【００１２】
これに対し、該反射シート１の前端部に張設された上記拡散シート４は、合成樹脂からなる白色半透明の四角形状をしたシートであって、該拡散シート４の内外両面のうち少なくとも外面が、光を乱反射させて拡散させるための微細な凹凸を有する粗面に形成されている。また、この拡散シート４を上記反射シート１に取り付けるため、該拡散シート４の端部の４つの辺に沿った位置と、上記反射シート１の外側面先端部とには、面ファスナーにおける鈎形突子側のファスナー部片５ａと輪奈形突子側のファスナー部片５ｂとの一方と他方とが取り付けられていて、これらのファスナー部片５ａ，５ｂ同士を相互に係止させることによって上記拡散シート４を反射シート１に止着させるようにしている。
【００１３】
また、上記支持骨構造体３は、上記反射シート１の中心軸線Ｌに沿って延びる大径パイプからなる第１シャフト７と、該第１シャフト７の内部に摺動自在に嵌合する小径パイプから第２シャフト８とを有している。上記第１シャフト７の中間部外周には、主骨ろくろ１０が固定されていて、この主骨ろくろ１０に、上記反射シート１を内側から支える４本の主骨１１の基端部が回動自在に枢支され、これらの主骨１１が、上記反射シート１の角部内面に沿って斜め前方に延びている。また、上記第２シャフト８の先端部には支骨ろくろ１２が固定され、この支骨ろくろ１２に、上記主骨１１を支える４本の支骨１３の基端部が回動自在に枢支され、これらの支骨１３の先端部は、上記各主骨１１の中間位置に回動自在に枢支されている。
【００１４】
そして、図４に示すように、上記第２シャフト８を第１シャフト７に対して中心軸線Ｌ方向に相対的に前進させることにより、上記支持骨構造体３及び反射シート１が閉じ、図２に示すように、上記第２シャフト８を、支骨ろくろ１２が第１シャフト７の先端に当接する位置まで該第１シャフト７に対して相対的に後退させることにより、上記支持骨構造体３及び反射シート１がパラソル状に開いて該反射シート１がフードの形を呈するようになっている。
【００１５】
ここで、上記第２シャフト８の長さは、図４のように上記支持骨構造体３を閉じたときには上記第１シャフト７から前方側に完全に抜け出し、図２のように上記支持骨構造体３を開いたときには、上記第１シャフト７内に嵌合して基端部が該第１シャフト７から後方に向けて若干突出するような長さに形成されている。
また、上記支持骨構造体３が開いている状態では、各主骨１１の弾性力が支骨１３を介して上記支骨ろくろ１２に作用し、この支骨ろくろ１２を上記第１シャフト７の先端に押し付けることにより、該支持骨構造体３が開放状態を維持するように構成されている。
【００１６】
上記第１シャフト７の基端部には、上記照明装置を三脚などの支持用スタンド１５に取付けるための雲台１６が取り付けられている。この雲台１６は、上記第１シャフト７に対して着脱自在のシャフト取付部１７と、上記スタンド１５に対して着脱自在のスタンド取付部１８と、これらの取付部１７，１８同士を連結するＬ字形をした連結アーム１９とからなるもので、この連結アーム１９は、上記スタンド取付部１８に対しては固定的に連結され、上記第１シャフト取付部１７に対しては角度調節自在なるように連結され、ハンドル２０でその角度を調節できるようになっている。
【００１７】
上記光源２は、複数の蛍光ランプ２２により形成されていて、これらの蛍光ランプ２２が、上記支持骨構造体３における第２シャフト８の先端に支持されている。従って、この第２シャフト８は、上記光源２を支持するための「支持シャフト」ということもできる。そこで、以下の説明においては、必要に応じてこの第２シャフト８を「支持シャフト」と称呼すると共に、該第２シャフトと同じ符号「８」を付して標記するものとする。
【００１８】
上記蛍光ランプ２２は、蛍光式の発光部２２ａと、ソケットに取り付けるためのプラグ部２２ｂとが、ランプ軸線Ｌ１に沿って真っ直ぐに連設された棒状のものである。
一方、上記支持シャフト８の先端には、円形箱形をしたソケット取付台２３が該支持シャフト８と同心状に取り付けられている。このソケット取付台２３の前面２３ａは、中央部が最も高い凸形をした滑らかな曲面をなしていて、該前面２３ａの上記中心軸線Ｌを取り巻く位置に上記蛍光ランプ２２と同数のソケット２４が、その軸線を該中心軸線Ｌに対してソケット２４先端側が該中心軸線Ｌから遠ざかる方向に傾斜させることにより、先広がりをした環の形に取り付けられ、これらのソケット２４に上記蛍光ランプ２２のプラグ部２２ｂが着脱自在に挿着されている。上記ソケット取付台２３の内部において各ソケット２４に電気接続された電源コード２５は、上記支持シャフト８の内部を通って外部に導出している。
【００１９】
従って、上記複数の蛍光ランプ２２は、上記反射シート１の中心軸線Ｌを取り巻く位置に、発光部２２ａを該反射シート１の前方側に向けると共に、ランプ軸線Ｌ１を上記中心軸線Ｌに対して発光部２２ａ側が該中心軸線Ｌから遠ざかる方向に傾斜させた状態で、ランプ相互間の間隔を上記発光部２２ａ側において次第に拡大させた状態、換言すれば、先広がりをした環のような形に配設されていることになる。
図示した実施形態においては、６つのソケット２４と蛍光ランプ２２とが、上記反射シート１の中心軸線Ｌの回りに等間隔で先広がりをした環の形に配設されているが、蛍光ランプ２２の数は６つに限るものではなく、３つ以上であれば、６つより多くても少なくても構わない。
【００２０】
上記構成を有する照明装置は、図１及び２に示すように、支持骨構造体３をパラソル式に開くことによって反射シート１をフード形に開放すると共に、第１シャフト７に取り付けた雲台１６によって支持用スタンド１５に取り付け、上記反射シート１の内部の各ソケット２４に蛍光ランプ２２を取り付けたあと、上記反射シート１の前面２３ａに拡散シート４を張設する。そして、電源コード２５を電源に接続することによって各蛍光ランプ２２を点灯させ、被写体を照明する。
【００２１】
ここで、上述したように光源２を複数の蛍光ランプ２２によって形成し、これらの蛍光ランプ２２を、反射シート１の中心軸線Ｌを取り巻く位置に、ランプ相互間の間隔が発光部２２ａ側において次第に拡大するように傾斜させて配設しているため、上記中心軸線Ｌ上の位置にランプを点状に配置した場合や、複数のランプを互いに近接する位置に真っ直ぐに並べて配置した場合等に比べ、光源２としての広がりが大きく、各蛍光ランプ２２の発光部２２ａにおいて特にその広がりが大きくなっている。このため、各蛍光ランプ２２からの光が、上記反射シート１と拡散シート４とによって広い範囲に効率良く乱反射されると共に拡散され、柔らかな光となって被写体にむらなく照射されることになる。
しかも、上記複数の蛍光ランプ２２が先広がり状をした環状に配設されていて、発光部２２ａ間の間隔が広がっているため、該発光部２２ａを掴んで各ランプの着脱を行う場合に、その作業を行い易いという利点もある。
【図面の簡単な説明】
【００２２】
【図１】本発明に係る撮影用照明装置の一実施形態を拡散シートの一部を破断して示す斜視図である。
【図２】図１の照明装置の断面図である。
【図３】図１の照明装置の拡散シートを取り外した状態の正面図である。
【図４】図１の照明装置の閉じた状態での断面図である。
【符号の説明】
【００２３】
１      反射シート
１ａ      反射面
２      光源
４      支持骨構造体
８      支持シャフト
２２      蛍光ランプ
２２ａ      発光部
２２ｂ      プラグ部
２３      ソケット取付台
２３ａ      前面
２４      ソケット
【図１】
2008076769.tif 000003
【図２】
2008076769.tif 000004
【図３】
2008076769.tif 000005
【図４】
2008076769.tif 000006